(57)【要約】【課題】  高度の高い建築物であっても、多大の労力を必要とせず、交通障害を引き起こすことなく、建築用足場を構築できる方法とその方法の実施に使用する昇降装置の提供。【解決手段】  足場用資材２により足場一階分を組み立てる工程をひとつの足場組立工程として、下方から上方へ建築用足場１を構築する方法とそれに使用する昇降装置１０で、足場用資材２が通過可能な資材用空間Ｓを建築用足場１の幅Ｄ内に確保し、資材用空間Ｓ内に昇降装置１０を配置して資材用空間Ｓを通って足場用資材２を上昇搬送して構築する方法と、昇降装置１０が、建築用足場１の幅Ｄ内に位置する状態で建築用足場１に取り付け自在で、建築用足場１の幅Ｄ内において足場用資材２を搬送できるように、かつ、上下方向へ連結接続可能な多数の昇降ユニット１１，１２により構成されている昇降装置。【選択図】        図２
2006009269.tif 000002
【特許請求の範囲】
【請求項１】
足場用資材により足場一階分を組み立てる工程をひとつの足場組立工程として、その足場組立工程を建築物の側面に沿って下方から上方へ繰り返し実行しながら、前記建築物の側面に建築用足場を構築する建築用足場の構築方法であって、
前記足場用資材が上下方向へ通過可能な資材用空間を前記建築用足場の幅内に確保し、その資材用空間内に昇降装置を配置して、その昇降装置により前記資材用空間を通って前記足場用資材を上昇搬送して構築する建築用足場の構築方法。
【請求項２】
前記昇降装置が上下方向へ連結接続可能な多数の昇降ユニットにより構成され、前記足場組立工程の進行に伴って前記昇降ユニットを上方へ連結接続しながら構築する請求項１に記載の建築用足場の構築方法。
【請求項３】
前記資材用空間を前記建築物の側面近接側に確保して構築する請求項１または２に記載の建築用足場の構築方法。
【請求項４】
足場用資材により足場一階分を組み立てる工程をひとつの足場組立工程として、その足場組立工程を建築物の側面に沿って下方から上方へ繰り返し実行しながら、前記建築物の側面に建築用足場を構築するのに使用する建築用足場の昇降装置であって、
その昇降装置が、前記建築用足場の幅内に位置する状態で建築用足場に取り付け自在に構成され、かつ、その建築用足場の幅内において前記足場用資材を上下方向へ搬送できるように構成されるとともに、上下方向へ連結接続可能な多数の昇降ユニットにより構成されている建築用足場の昇降装置。
【請求項５】
前記各昇降ユニットが、前記建築物の側面に沿って配置自在な一対のチェン式昇降機構により構成され、その一対のチェン式昇降機構が、前記足場用資材を保持する保持部を備えている請求項４に記載の建築用足場の昇降装置。
【請求項６】
前記昇降装置を駆動するための駆動装置が、前記建築用足場の下方部に設けられ、前記各昇降ユニットが、互いに連動して前記駆動装置により駆動されるように構成されている請求項４または５に記載の建築用足場の昇降装置。
【請求項７】
前記駆動装置が、前記昇降装置に対して取り外し可能に構成されている請求項６に記載の建築用足場の昇降装置。
【発明の詳細な説明】
【技術分野】
【０００１】
本発明は、足場用資材により足場一階分を組み立てる工程をひとつの足場組立工程として、その足場組立工程を建築物の側面に沿って下方から上方へ繰り返し実行しながら、前記建築物の側面に建築用足場を構築する建築用足場の構築方法とその方法の実施に使用する建築用足場の昇降装置に関する。
【背景技術】
【０００２】
建築用足場を構築する方法としては、従来、人為力による方法、つまり、作業員が足場用資材を人為的に搬送して構築する方法が一般的であり、実際に戸建て住宅や比較的小さな集合住宅などでは多用されている。
しかし、人為力による場合、多大の労力を必要とするため、足場の構築費用が高くなるばかりか、足場の構築に長期間を要し、かつ、作業員に対する危険性の問題もある。
そこで、比較的大きな集合住宅や高層ビルなどでは、通常、足場の構築時や解体時に、足場用資材の昇降装置としてクレーン車を使用し、対象となる建築物の近くに設置して足場用資材を昇降搬送する方法が採用されている（実際に実施されているが、そのような方法に言及した適切な特許文献は見当たらない）。
【発明の開示】
【発明が解決しようとする課題】
【０００３】
しかしながら、クレーン車を使用する場合、往々にしてクレーン車を公道上に設置する必要が生じ、交通の障害となって公道利用者に多大の迷惑をかけるばかりか、公道利用者に対する危険性の問題もある。
【０００４】
本発明は、このような問題点に着目したもので、その目的は、たとえ高層ビルのような高度の高い建築物であっても、多大の労力を必要とせず、かつ、交通障害を引き起こすおそれもなく、建築用足場を構築することのできる建築用足場の構築方法とその方法の実施に使用する建築用足場の昇降装置を提供することにある。
【課題を解決するための手段】
【０００５】
本発明の第１の特徴構成は、足場用資材により足場一階分を組み立てる工程をひとつの足場組立工程として、その足場組立工程を建築物の側面に沿って下方から上方へ繰り返し実行しながら、前記建築物の側面に建築用足場を構築する建築用足場の構築方法であって、前記足場用資材が上下方向へ通過可能な資材用空間を前記建築用足場の幅内に確保し、その資材用空間内に昇降装置を配置して、その昇降装置により前記資材用空間を通って前記足場用資材を上昇搬送して構築するところにある。
【０００６】
本発明の第１の特徴構成によれば、足場用資材が上下方向へ通過可能な資材用空間を建築用足場の幅内に確保し、その資材用空間内に昇降装置を配置して、その昇降装置により資材用空間を通って足場用資材を上昇搬送するので、建築用足場の幅内に確保した資材用空間内に配置の昇降装置を使用することによって、従来の人為力による場合のように多大な労力を必要とせず、しかも、建築用足場の幅内に位置する資材用空間を通って足場用資材を上昇搬送するので、従来のクレーン車を使用する場合のように交通障害を引き起こすおそれはなく、公道利用者に対する危険性も抑制される。
したがって、たとえ高度の高い建築物であっても、交通障害を引き起こさず、比較的短期間のうちに安い費用で建築用足場を構築することができるとともに、上述した昇降装置を使用して建築用足場の解体作業を行う場合には、その解体作業も比較的短時間のうちに安い費用で行うことができ、また、必要な場合には、その昇降装置を使用して、外壁材、内壁材、タイル、窓枠などの各種の建築用資材および各種の機器や工具類などを昇降搬送することもできる。
【０００７】
本発明の第２の特徴構成は、上述した構築方法において、前記昇降装置が上下方向へ連結接続可能な多数の昇降ユニットにより構成され、前記足場組立工程の進行に伴って前記昇降ユニットを上方へ連結接続しながら構築するところにある。
【０００８】
本発明の第２の特徴構成によれば、昇降装置が上下方向へ連結接続可能な多数の昇降ユニットにより構成され、足場組立工程の進行に伴って昇降ユニットを上方へ連結接続しながら構築するので、常に必要最小限の高さの昇降装置を使用して、合理的な建築用足場の構築作業を行うことができ、その上、連結接続するべき昇降ユニットに関しても、その時点で使用可能な昇降装置を使用して上昇搬送することができるので、昇降ユニットの上昇搬送も人為力によることなく行うことができる。
そして、この場合にも、建築用足場の解体作業時に昇降装置を使用すれば、取り外した昇降ユニットを下方に残った昇降装置を使用して下降搬送することができる。
【０００９】
本発明の第３の特徴構成は、上述した構築方法において、前記資材用空間を前記建築物の側面近接側に確保して構築するところにある。
【００１０】
本発明の第３の特徴構成によれば、資材用空間を建築物の側面近接側に確保して構築するので、建築物の側面から遠ざかる側は、例えば、各種作業における作業員の通路用として確保することができ、かつ、仮に、昇降装置による搬送時に搬送物品の落下事故が発生したとしても、その落下事故に伴う付随事故の発生を抑制することができる。
【００１１】
本発明の第４の特徴構成は、足場用資材により足場一階分を組み立てる工程をひとつの足場組立工程として、その足場組立工程を建築物の側面に沿って下方から上方へ繰り返し実行しながら、前記建築物の側面に建築用足場を構築するのに使用する建築用足場の昇降装置であって、その昇降装置が、前記建築用足場の幅内に位置する状態で建築用足場に取り付け自在に構成され、かつ、その建築用足場の幅内において前記足場用資材を上下方向へ搬送できるように構成されるとともに、上下方向へ連結接続可能な多数の昇降ユニットにより構成されているところにある。
【００１２】
本発明の第４の特徴構成によれば、建築用足場を構築するのに使用する昇降装置が、建築用足場の幅内に位置する状態で建築用足場に取り付け自在に構成され、かつ、その建築用足場の幅内において足場用資材を上下方向へ搬送できるように構成されているので、上記第１の特徴構成に関連して述べたように、その昇降装置を使用することにより多大な労力を必要とせず、しかも、従来のクレーン車を使用する場合のように交通障害を引き起こすおそれなく、かつ、公道利用者に対する危険性を抑制して建築用足場の構築作業を行うことができるとともに、必要な場合には、その昇降装置を使用して、各種の建築用資材をはじめとして、機器や工具類などを昇降搬送することもできる。
そして、その昇降装置が上下方向へ連結接続可能な多数の昇降ユニットにより構成されているので、上記第２の特徴構成に関連して述べたように、常に必要最小限の高さの昇降装置を使用して、合理的な建築用足場の構築作業を行うことができ、しかも、建築用足場の構築作業時には、その時点で使用可能な昇降装置を使用して昇降ユニットを上昇搬送し、解体作業時には、その時点で下方に残った昇降装置を使用して取り外した昇降ユニットを下降搬送することができる。
【００１３】
本発明の第５の特徴構成は、上述した昇降装置において、前記各昇降ユニットが、前記建築物の側面に沿って配置自在な一対のチェン式昇降機構により構成され、その一対のチェン式昇降機構が、前記足場用資材を保持する保持部を備えているところにある。
【００１４】
本発明の第５の特徴構成によれば、各昇降ユニットが、建築物の側面に沿って配置自在な一対のチェン式昇降機構により構成されているので、その一対のチェン式昇降装置を建築物の側面に沿って配置し、かつ、長尺状の足場用資材などを両チェン式昇降装置間にわたして保持させたり、あるいは、上下方向に垂下するように保持させることにより、たとえ長尺状の資材であっても安定良く搬送することができる。
そして、その一対のチェン式昇降機構が、足場用資材を保持する保持部を備えているので、その保持部を使用することによって、チェン式昇降機構に対する足場用資材の保持ならびに取り外しを容易かつ確実に行うことができる。
【００１５】
本発明の第６の特徴構成は、上述した昇降装置において、前記昇降装置を駆動するための駆動装置が、前記建築用足場の下方部に設けられ、前記各昇降ユニットが、互いに連動して前記駆動装置により駆動されるように構成されているところにある。
【００１６】
本発明の第６の特徴構成によれば、昇降装置を駆動するための駆動装置が、建築用足場の下方部に設けられているので、比較的重量のある駆動装置を上方へ持ち上げる必要もなく、しかも、各昇降ユニットが、その下方に位置する駆動装置により互いに連動して駆動されるので、たとえ多数の昇降ユニットを連結接続した場合でも、各昇降ユニットの連動駆動によって足場用資材などを確実に搬送することができる。
【００１７】
本発明の第７の特徴構成は、上述した昇降装置において、前記駆動装置が、前記昇降装置に対して取り外し可能に構成されているところにある。
【００１８】
本発明の第７の特徴構成によれば、駆動装置が、昇降装置に対して取り外し可能に構成されているので、例えば、建築物の一側面に対して建築用足場の構築が完了した後、その駆動装置を取り外して、他の側面に対する足場構築用の駆動装置として使用したり、他の建築物に対する足場構築用の駆動装置として使用することができる。
したがって、複数の足場構築に対して駆動装置の兼用化が可能となり、さらに、足場解体時に、その駆動装置を再び取り付けることにより、足場解体用の駆動装置として使用することもできる。
【発明を実施するための最良の形態】
【００１９】
本発明による建築用足場の構築方法とその方法の実施に使用する建築用足場の昇降装置につき、その実施の形態を図面に基づいて説明する。
例えば、建築物が新築または既設のビルであれば、図１および図２に示すように、建築用足場１は、足場用資材２としての建枠３、鋼板布板４、ブレース５、鋼製階段６、セフティガード７、手摺り８、その他、各種の連結用金物９などを使用してビルＢの側面である壁Ｗに沿って構築される。
このような建築用足場１の構築は、例えば、建枠３の高さを足場一階分とし、その足場一階分を組み立てる工程をひとつの足場組立工程として、下方から上方へ昇降装置１０により必要な足場用資材２を搬送しながら足場組立工程を繰り返し実行して構築する。
【００２０】
そのための昇降装置１０は、図３〜図５に示すように、上下方向へ連結接続可能な多数の昇降ユニット１１，１２と最下方に配置される架台用ユニット１３により構成され、各昇降ユニット１１，１２は、それぞれ一対のチェン式昇降機構１４，１５を備えている。
つまり、昇降ユニット１１，１２には、図４に示すように、比較的スパンの小さな一対の第１チェン式昇降機構１４を備えた第１昇降ユニット１１と、図５に示すように、比較的スパンの大きな一対の第２チェン式昇降機構１５を備えた第２昇降ユニット１２の２種類があり、その２種類の昇降ユニット１１，１２が、各チェン式昇降機構１４，１５を上下方向に向けて交互に連結接続可能に構成されている。
その第１と第２チェン式昇降機構１４，１５は、上下一対のスプロケット１６と両スプロケット１６間に架けわたされたチェン１７によりそれぞれ構成され、各チェン１７には、足場用資材２を保持する保持部として機能するフック１８が一対設けられ、後に詳しく説明するように、保持部の補助として機能する保持用バー１９も準備されている。
【００２１】
第１昇降ユニット１１は、比較的スパンの小さな一対の第１保持枠２０と比較的スパンの大きな一対の第２保持枠２１を備え、それら第１と第２保持枠２０，２１が、連結枠２２により連結されるとともに、一対の第１保持枠２０に第１チェン式昇降機構１４が組み付けられて構成されている。そして、その第１昇降ユニット１１には、第１保持枠２０の内側に沿って延びる一対の第１回転軸２３と、第２保持枠２１の外側に沿って延びる一対の第２回転軸２４が設けられている。
同様に、第２昇降ユニット１２も、比較的スパンの小さな一対の第１保持枠２０とスパンの大きな一対の第２保持枠２１、および、連結枠２２により構成されて、一対の第２保持枠２１側に第２チェン式昇降機構１５が組み付けられ、さらに、第１保持枠２０の内側に沿って延びる一対の第１回転軸２３と、第２保持枠２１の外側に沿って延びる一対の第２回転軸２４も設けられている。
【００２２】
これら第１と第２昇降ユニット１１，１２において、各保持枠２０，２１の上下端には、連結用の棒状体２０ａ，２１ａが適宜突設され、各回転軸２３，２４の上下端には、断続可能なクラッチ部材２５がそれぞれ設けられて、第１と第２昇降ユニット１１，１２を上下方向に連結した際、上下の第１回転軸２３どうしが互いに連動連結され、また、上下の第２回転軸２４どうしが互いに連動連結されるように構成されている。
そして、第１昇降ユニット１１においては、第１チェン式昇降機構１４を構成する上方のスプロケット１６が、第１ベベルギヤ機構２６を介してそれぞれ第１回転軸２３に連動連結され、同様に、第２昇降ユニット１２おいては、第２チェン式昇降機構１５を構成する上方のスプロケット１６が、第２ベベルギヤ機構２７を介してそれぞれ第２回転軸２４に連動連結されている。
【００２３】
それに対して、最下方に連結される架台用ユニット１３は、図３に示すように、第１昇降ユニット１１から第１チェン式昇降機構１４を取り外したような、または、第２昇降ユニット１２から第２チェン式昇降機構１５を取り外したような構成で、一対の第１保持枠２０と第２保持枠２１、および、一対の第１回転軸２３と第２回転軸２４などを備え、各保持枠２０，２１の上下端には連結用の棒状体２０ａ，２１ａが適宜突設されている。
その第１と第２回転軸２３，２４の上端には、第１と第２昇降ユニット１１，１２における回転軸２３，２４の上端と同様に、断続可能なクラッチ部材２５が設けられているのであるが、下端には上下方向に移動ならびに固定自在なクラッチ部材２５ａが設けられ、さらに、この架台用ユニット１３においては、一対の第２保持枠２１の所定箇所に固定フック２８が取り付けられている。
【００２４】
この架台用ユニット１３と昇降ユニット１１，１２からなる昇降装置１０は、図６および図９に詳しく示すように、架台２９により、例えば、地面Ｇ上に設置自在に構成され、その架台２９の下方には、地面Ｇ上を転動する合計４個の車輪３０と、架台２９を所定の位置に設置するための合計４個の設置機構３１が設けられている。
その架台２９の上面には、合計２本の支柱３２が立設され、各支柱３２上には、架台用ユニット１３の第１保持枠２０を保持するパイプ材からなる第１支柱部３３と第２保持枠２１を保持するパイプ材からなる第２支柱部３４がそれぞれ立設されている。
そして、その架台２９の上面には、昇降装置１０の第１と第２チェン式昇降機構１４，１５を回転駆動する電動式の駆動装置３５が配置されている。
【００２５】
その駆動装置３５は、図１１にも示すように、第１チェン式昇降機構１４を駆動するための第１電動モータ３６と第２チェン式昇降機構１５を駆動するための一対の第２電動モータ３７を備え、第１電動モータ３６は、第１減速機３８を介して左右一対の第１回転部３９にそれぞれ連動連結され、一対の第２電動モータ３７は、それぞれ第２減速機４０を介して左右一対の第２回転部４１に連動連結されている。
その駆動装置３５には、平面視において、２本の支柱３２との干渉を回避する２個の切欠き４２が設けられ、かつ、架台２９の上面に設けられた一対のレール４３に沿って架台２９上を転動する合計４個の車輪４４と、駆動装置３５を架台２９の所定位置に固定する固定機構４５も設けられている。
【００２６】
つぎに、この建築用足場の昇降装置につき、その作動を説明するとともに、建築用足場の構築方法について言及する。
まず、ビルＢの壁Ｗに沿って最下方の足場一階分（この足場一階分は、必ずしもビルの一階分の高さに対応するとは限らない）を組み立てる。
つまり、地面Ｇ上に設置した状態でビルＢの壁Ｗに沿って多数の建枠３を並べ、それら建枠３どうしをブレース５や連結用金物９などを使用して互いに連結し、かつ、各建枠３を連結用金具（壁つなぎクランプ）９によりビルＢ側に固定する。
そして、各建枠３間に鋼板布板４を配置して作業用通路を確保し、必要に応じて鋼製階段６などを取り付ける。
【００２７】
その際、組み立てる足場一階分のうち、建枠３などの足場用資材２を昇降搬送するのに適した箇所に架台２９を設置し、その架台２９上に駆動装置３５を設置固定する。
さらに、架台２９上面の支柱３２を使用して、架台２９上に架台用ユニット１３を連結接続する。つまり、図６および図１０に示すように、架台用ユニット１３の第１保持枠２０の下端に突設の棒状体２０ａを架台２９の第１支柱部３３に挿入し、第２保持枠２１の下端に突設の棒状体２１ａを第２支柱部３４に挿入して連結接続して、その架台用ユニット１３を各種の連結用金具９を使用して隣接する建枠３側とビルＢ側にそれぞれ取り付け固定する。
そして、架台用ユニット１３の第１回転軸２３を駆動装置３５上面の第１回転部３９に対し、第２回転軸２４を第２回転部４１に対してそれぞれクラッチ部材２５ａを介して連動連結する。
【００２８】
このように足場一階分を組み立てた状態では、平面視において、駆動装置３５を載置する架台２９が、ビルＢの壁Ｗに沿って構築された建築用足場１の一部を占有するように配置され、かつ、駆動装置３５や支柱３２が、架台２９に対してビルＢの壁Ｗ側に近接するように偏って配置されているので、架台用ユニット１３はビルＢの壁Ｗ側に近接して配置される。
そして、この足場一階分を組み立てる工程をひとつの足場組立工程として、その足場組立工程をビルＢの壁Ｗに沿って下方から上方へ繰り返し実行しながら、ビルＢの壁Ｗに多数階からなる建築用足場１を構築する。
【００２９】
その際、足場組立工程の進行に伴って、図１２に図式的に示すように、架台用ユニット１３の上方に第１昇降ユニット１１と第２昇降ユニット１２を交互に連結接続して昇降装置１０を構成し、その昇降装置１０を使用して足場用資材２や昇降ユニット１１，１２などを上方へ搬送し、かつ、昇降装置１０を上方へ伸ばしながら建築用足場１を構築する。
具体的には、図７に示すように、架台用ユニット１３の第１と第２保持枠２０，２１の上端に第１昇降ユニット１１の第１と第２保持枠２０，２１の下端を連結接続し、さらに、架台用ユニット１３の第１と第２回転軸２３，２４の上端に第１昇降ユニット１１の第１と第２回転軸２３，２４の下端を連結接続し、同様に、図８に示すように、その第１昇降ユニット１１の上方に第２昇降ユニット１２を連結接続するのであり、この実施形態の場合、架台用ユニット１３の上方に少なくとも１基の第１昇降ユニット１１を連結接続した状態で、その第１昇降ユニット１１からなる昇降装置１０を使用することができる。
【００３０】
つぎに、その昇降装置１０の作動について説明するが、その作動は全て制御装置による制御の基で実行される。
例えば、昇降装置１０により建枠３を上昇搬送する場合であれば、下方にいる作業員が、架台用ユニット１３の固定フック２８（図３参照）に建枠３を引っ掛けて、上方の作業員に対して準備の完了を報知する。この準備完了の報知には、あらゆる方法を採用することができ、例えば、下方の作業員が準備完了のボタンを押すことにより、上方に配置されたランプが点灯するように構成することができる。
その後、上方の作業員が昇降装置１０の始動ボタンを押すことにより、第１電動モータ３６が作動し、一対の第１回転軸２３や第１ベベルギヤ機構２６を介して第１昇降ユニット１１の第１チェン式昇降機構１４における上方のスプロケット１６が回転駆動される。
【００３１】
そのスプロケット１６の回転に伴って、左右一対のチェン１７が、図４の（ロ）において矢印で示す方向に移動するのであるが、初期設定によって、チェン１７に取り付けられたフック１８が、始動時に図４の（ロ）に示す位置にあるため、左右一対のチェン１７に取り付けられた下方のフック１８が、図１４に示すように、建枠３を引っ掛けて上方へ搬送する。
チェン１７による建枠３の搬送は、最初はゆっくりで徐々に速度を上げ、その後、減速しながら図４の（ロ）に示す上方位置で停止するので、上方の作業員は停止を待ってフック１８から建枠３を取り外し、建枠３の上昇搬送が完了する。
そして、その第１昇降ユニット１１の上方に第２昇降ユニット１２が連結接続されている場合には、第１昇降ユニット１１の第１チェン式昇降機構１４の停止と同時に、第２電動モータ３７が作動し、一対の第２回転軸２４や第２ベベルギヤ機構２７を介して第２昇降ユニット１２の第２チェン式昇降機構１５が作動して建枠３を上昇搬送する。
【００３２】
このようにして、第１昇降ユニット１１の第１チェン式昇降機構１４から第２昇降ユニット１２の第２チェン式昇降機構１５へ、さらに、その上の第１昇降ユニット１１へと、順次、建枠３を受け渡しながら所望する高さ位置にまで上昇搬送するのである。
そして、セフティガード７も、建枠３と同じ方法で搬送し、鋼板布板４や鋼製階段６などについては、図１５に示すように、保持用バー１９を使用し、架台用ユニット１３の固定フック２８に保持用バー１９を引っ掛け、その保持用バー１９に鋼板布板４などを引っ掛けることにより、上述した建枠３と同様に、鋼板布板４を所望の位置にまで上昇搬送するのであり、昇降ユニット１１，１２についても、保持用バー１９に各ユニット１１，１２に設けられたフック２０ｂ、２１ｂを引っ掛けて搬送する。
その他、ブレース５や手摺り８などの長尺物は、固定フック２８に直接引っ掛けて搬送することもでき、連結用金具９などは、箱や袋などに収納した上で保持用バー１９を使用して搬送する。
【００３３】
以上のようにして、各種の足場用資材２や昇降ユニット１１，１２などを搬送するのであるが、第１と第２昇降ユニット１１，１２などからなる昇降装置１０が、各一対のチェン式昇降機構１４，１５をビルＢの壁Ｗに沿わせて配置され、図１３に示すように、建築用足場１の幅Ｄ内において足場用資材２などを上下方向に搬送できるように構成されているので、より具体的には、比較的幅の狭い鋼板布板４をビルＢの壁Ｗから遠ざかる側に配置しても、平面視において壁Ｗ側に資材用空間Ｓが確保されて、その資材用空間Ｓ内に昇降装置１０が配置され、さらに、足場用資材２が上下方向へ通過できるだけの空間が確保されるように構成されているので、建築用足場１の幅Ｄを有効に利用して足場用資材２などを搬送することができる。
【００３４】
建築用足場１の構築が完了すると、その建築用足場１を解体するまでの間、駆動装置３５は不要となり、他の建築用足場１の構築や解体に使用することができる。
その場合には、図９および図１０に示すように、架台用ユニット１３の第１と第２回転軸２３，２４の下端に設けられたクラッチ部材２５ａを駆動装置３５の第１と第２回転部３９，４１から外して上方へ持ち上げ、かつ、架台２９に対する固定機構４５を解除して、駆動装置３５をビルＢの壁Ｗから遠ざかる方向へ引き出すのである。
その駆動装置３５の引き出しは、下方に設けられた４個の車輪４４により少ない労力で楽に行うことができ、さらに、下方に車輪３０ａを有し、上面にレール４３ａを有する専用の搬送台車２９ａを使用することで、駆動装置３５を所望の場所にまで楽に搬送することができる。
【００３５】
駆動装置３５を昇降装置１０から取り外しても、その昇降装置１０は架台２９により確実に保持されるので、昇降装置１０を残したまま、建築用足場１を使用して、例えば、塗装作業などの各種の作業を能率的に行うことができる。
そして、各種の作業が完了して建築用足場１を解体する場合には、上述した取り外しと逆の手順によって、昇降装置１０に駆動装置３５を再び取り付ける。
それによって、建築用足場１の解体時にも、昇降装置１０を使用して、各種の足場用資材２や昇降ユニット１１，１２の下方搬送を少ない労力で短期間のうちに行うことができるのである。
【００３６】
〔別実施形態〕
（１）先の実施形態では、昇降装置１０を連結接続可能な第１と第２昇降ユニット１１，１２および架台用ユニット１３により構成した例を示したが、架台用ユニット１３を廃して、第１と第２昇降ユニット１１，１２のみで構成することもでき、また、ユニット化せずに、一連の昇降装置により構成することもできる。
さらに、その昇降装置１０は、特にチェン式の昇降装置に限るものではなく、各種の方式による昇降装置を使用することができ、その具体的な構成についても種々の改変が可能である。
【００３７】
（２）先の実施形態では、昇降装置１０をビルＢの壁Ｗに近接配置して、資材用空間Ｓを建築用足場１の幅Ｄ内において壁Ｗに近接する側に確保した例を示したが、逆に、壁Ｗから遠ざかる側に資材用空間Ｓを確保したり、建築用足場１の幅Ｄ方向の中央に資材用空間Ｓを確保して実施することもできる。
また、建築用足場１の構築時のみならず、解体時にも昇降装置１０を使用して足場用資材２などを搬送する例を示したが、建築用足場１の構築時のみ昇降装置１０を使用し、解体時には昇降装置１０を使用せずに、他の方法で解体作業を行うこともできる。
【図面の簡単な説明】
【００３８】
【図１】建築用足場と昇降装置の正面図
【図２】建築用足場と昇降装置の側面図
【図３】架台用ユニットの正面図と側面図
【図４】第１昇降ユニットの正面図と側面図
【図５】第２昇降ユニットの正面図と側面図
【図６】架台と駆動装置の正面図
【図７】架台用ユニットへの第１昇降ユニットの連結状態を示す正面図
【図８】第１昇降ユニットへの第２昇降ユニットの連結状態を示す正面図
【図９】架台と駆動装置の側面図
【図１０】駆動装置への架台用ユニットの連結状態を示す一部切欠き正面図
【図１１】駆動装置の斜視図
【図１２】昇降装置を図式的に示す説明図
【図１３】建築用足場と昇降装置の平面図
【図１４】昇降装置による建枠の搬送状態を示す説明図
【図１５】昇降装置による鋼板布板の搬送状態を示す説明図
【符号の説明】
【００３９】
１          建築用足場
２          足場用資材
１０        昇降装置
１１，１２  昇降ユニット
１４，１５  チェン式昇降機構
１８        保持部
３５        駆動装置
Ｂ          建築物
Ｄ          建築用足場の幅
Ｓ          資材用空間
Ｗ          建築物の側面
【図１】
2006009269.tif 000003
【図２】
2006009269.tif 000004
【図３】
2006009269.tif 000005
【図４】
2006009269.tif 000006
【図５】
2006009269.tif 000007
【図６】
2006009269.tif 000008
【図７】
2006009269.tif 000009
【図８】
2006009269.tif 000010
【図９】
2006009269.tif 000011
【図１０】
2006009269.tif 000012
【図１１】
2006009269.tif 000013
【図１２】
2006009269.tif 000014
【図１３】
2006009269.tif 000015
【図１４】
2006009269.tif 000016
【図１５】
2006009269.tif 000017